【手続補正書】
【提出日】令和2年1月9日(2020.1.9)
【手続補正１】
【補正対象書類名】特許請求の範囲
【補正対象項目名】全文
【補正方法】変更
【補正の内容】
【特許請求の範囲】
【請求項１】
無線アクセス技術（ＲＡＴ）の使用を管理するためのマルチモード通信デバイス上でインプリメントされる方法であって、
前記マルチモード通信デバイスのロケーションが変化したかどうかを決定すること、ここにおいて、前記決定することは、前記マルチモード通信デバイスが、しきい値の時間期間の間、しきい値範囲（radius）またはエリア内に留まっているかどうかを決定することを含む、
確立された通信リンクの前記ＲＡＴが最も高い優先度のＲＡＴでないことおよび前記マルチモード通信デバイスが、前記しきい値の時間期間の間、前記しきい値範囲またはエリア内に留まっていることを決定することに応答して、前記マルチモード通信デバイスが、前記確立された通信リンクの前記ＲＡＴ以外の１つまたは複数のＲＡＴの信号についてスキャンするのを防ぐこと、または
前記確立された通信リンクの前記ＲＡＴが最も高い優先度のＲＡＴでないことおよび前記マルチモード通信デバイスが、前記しきい値の時間期間の間、前記しきい値範囲またはエリア内に留まっていないことを決定することに応答して、前記確立された通信リンクの前記ＲＡＴ以外の前記１つまたは複数のＲＡＴの信号についてスキャンすること、
を備え、
ここにおいて、最も高い優先度のＲＡＴは、ＲＡＴのリストの中で、利用可能な最も高いデータスループットおよび／またはデータレートを有するＲＡＴである、方法。
【請求項２】
信号強度、誤り率、および／または前記マルチモード通信デバイスの移動を示す他のインジケーションにおいて、前記確立された通信リンクの１つまたは複数の変化についてモニタすることと、
前記確立された通信リンクの１つまたは複数の変化を検出することに応答して、前記確立された通信リンクの前記ＲＡＴ以外の前記１つまたは複数のＲＡＴの信号についてスキャンすることと
をさらに備える、請求項１に記載の方法。
【請求項３】
前記確立された通信リンクの１つまたは複数の変化を検出することは、前記確立された通信リンクの前記１つまたは複数の変化がしきい値を上回ると決定することを備える、請求項２に記載の方法。
【請求項４】
前記確立された通信リンクの１つまたは複数の変化を検出することは、前記確立された通信リンクの受信信号強度がしきい値を上回る量だけ増加または減少したかどうかを決定することを備える、請求項２に記載の方法。
【請求項５】
前記マルチモード通信デバイスのロケーションが変化したかどうかを決定することは、  前記マルチモード通信デバイスが移動したことを示す信号について、前記マルチモード通信デバイスのロケーションの変化を示すことができるリソースをモニタすること、ここにおいて、前記マルチモード通信デバイスのロケーションの変化を検出することができる前記リソースは、全地球的航法衛星システム受信機、全地球測位衛星システム受信機、加速度計、非データベアラ信号を受信するトランシーバ、基地局識別子、およびアクセスポイント識別子のうちの１つまたは複数を備える、と、
前記マルチモード通信デバイスの移動がしきい値を上回るかどうかを前記信号から決定することと、
前記マルチモード通信デバイスの前記移動が前記しきい値を上回ると決定することに応答して、前記マルチモード通信デバイスの前記ロケーションが変化したと決定することと  をさらに備える、請求項１に記載の方法。
【請求項６】
マルチモード通信デバイスであって、
前記マルチモード通信デバイスのロケーションが変化したかどうかを決定するための手段、ここにおいて、前記決定することは、前記マルチモード通信デバイスが、しきい値の時間期間の間、しきい値範囲またはエリア内に留まっているかどうかを決定することを含む、
確立された通信リンクのＲＡＴが最も高い優先度のＲＡＴでないことおよび前記マルチモード通信デバイスが、前記しきい値の時間期間の間、前記しきい値範囲またはエリア内に留まっていることを決定することに応答して、前記マルチモード通信デバイスが、前記確立された通信リンクの前記ＲＡＴ以外の１つまたは複数のＲＡＴの信号についてスキャンするのを防ぎ、または前記確立された通信リンクの前記ＲＡＴが最も高い優先度のＲＡＴでないことおよび前記マルチモード通信デバイスが、前記しきい値の時間期間の間、前記しきい値範囲またはエリア内に留まっていないことを決定することに応答して、前記確立された通信リンクの前記ＲＡＴ以外の前記１つまたは複数のＲＡＴの信号についてスキャンするための手段
を備え、
ここにおいて、最も高い優先度のＲＡＴは、ＲＡＴのリストの中で、利用可能な最も高いデータスループットおよび／またはデータレートを有するＲＡＴである、マルチモード通信デバイス。
【請求項７】
信号強度、誤り率、および／または前記マルチモード通信デバイスの移動を示す他のインジケーションにおいて、前記確立された通信リンクの１つまたは複数の変化についてモニタするための手段と、
前記確立された通信リンクの１つまたは複数の変化を検出することに応答して、前記確立された通信リンクの前記ＲＡＴ以外の前記１つまたは複数のＲＡＴの信号についてスキャンするための手段と
をさらに備える、請求項６に記載のマルチモードコンピューティングデバイス。
【請求項８】
前記確立された通信リンクの１つまたは複数の変化を検出するための手段は、前記確立された通信リンクの前記１つまたは複数の変化がしきい値を上回ると決定するための手段を備える、請求項７に記載のマルチモードコンピューティングデバイス。
【請求項９】
前記確立された通信リンクの１つまたは複数の変化を検出するための手段は、前記確立された通信リンクの受信信号強度がしきい値を上回る量だけ増加または減少したかどうかを決定するための手段を備える、請求項７に記載のマルチモードコンピューティングデバイス。
【請求項１０】
前記マルチモード通信デバイスのロケーションが変化したかどうかを決定するための手段は、
前記マルチモード通信デバイスが移動したことを示す信号について、前記マルチモード通信デバイスのロケーションの変化を示すことができるリソースをモニタするための手段、ここにおいて、前記マルチモード通信デバイスのロケーションの変化を検出することができる前記リソースは、全地球的航法衛星システム受信機、全地球測位衛星システム受信機、加速度計、非データベアラ信号を受信するトランシーバ、基地局識別子、およびアクセスポイント識別子のうちの１つまたは複数を備える、と、
前記マルチモード通信デバイスの移動がしきい値を上回るかどうかを前記信号から決定するための手段と、
前記マルチモード通信デバイスの前記移動が前記しきい値を上回ると決定することに応答して、前記マルチモード通信デバイスの前記ロケーションが変化したと決定するための手段と
をさらに備える、請求項６に記載のマルチモードコンピューティングデバイス。
【請求項１１】
請求項１ないし５のいずれかに記載の方法をインプリメントするための命令を備えるコンピュータプログラム。
【手続補正２】
【補正対象書類名】明細書
【補正対象項目名】００７２
【補正方法】変更
【補正の内容】
【００７２】
[0077]開示された実施形態の先の説明は、当業者による本実施形態の製造または使用を可能にするために提供される。これらの実施形態に対する様々な修正は、当業者には容易に明らかであり、本明細書で定義された包括的な原理は、実施形態の範囲から逸脱することなく他の実施形態に適用され得る。ゆえに、様々な実施形態は、本明細書に示された実施形態に制限されるように意図されるものではなく、以下の特許請求の範囲ならびに本明細書に開示された原理および新規な特徴と合致する最も広い範囲が与えられるべきである。
以下に本願の出願当初の特許請求の範囲に記載された発明を付記する。
［Ｃ１］  無線アクセス技術（ＲＡＴ）の使用を管理するためのマルチモード通信デバイス上でインプリメントされる方法であって、
確立された通信リンクの前記ＲＡＴが最も高い優先度のＲＡＴでないことおよび前記マルチモード通信デバイスが静止状態であることを決定することに応答して、前記マルチモード通信デバイスが、前記確立された通信リンクの前記ＲＡＴ以外の１つまたは複数のＲＡＴの信号についてスキャンするのを防ぐこと
を備える方法。
［Ｃ２］  前記確立された通信リンクの１つまたは複数の変化についてモニタすることと、
前記確立された通信リンクの１つまたは複数の変化を検出することに応答して、前記確立された通信リンクの前記ＲＡＴ以外の前記１つまたは複数のＲＡＴの信号についてスキャンすることと
をさらに備える、Ｃ１に記載の方法。
［Ｃ３］  前記確立された通信リンクの１つまたは複数の変化を検出することは、前記確立された通信リンクの前記１つまたは複数の変化がしきい値を上回ると決定することを備える、Ｃ２に記載の方法。
［Ｃ４］  前記確立された通信リンクの１つまたは複数の変化を検出することは、前記確立された通信リンクの受信信号強度がしきい値を上回る量だけ増加または減少したかどうかを決定することを備える、Ｃ２に記載の方法。
［Ｃ５］  前記マルチモード通信デバイスのロケーションが変化したかどうかを決定することと、  前記マルチモード通信デバイスの前記ロケーションが変化したと決定することに応答して、前記確立された通信リンクの前記ＲＡＴ以外の前記１つまたは複数のＲＡＴの信号についてスキャンすることと
をさらに備える、Ｃ１に記載の方法。
［Ｃ６］  前記マルチモード通信デバイスのロケーションが変化したかどうかを決定することは、  前記マルチモード通信デバイスが移動したことを示す信号について、前記マルチモード通信デバイスのロケーションの変化を示すことができるリソースをモニタすることと、
前記マルチモード通信デバイスの移動がしきい値を上回るかどうかを前記信号から決定することと、
前記マルチモード通信デバイスの前記移動が前記しきい値を上回ると決定することに応答して、前記マルチモード通信デバイスの前記ロケーションが変化したと決定することと  を備える、Ｃ５に記載の方法。
［Ｃ７］  前記マルチモード通信デバイスのロケーションの変化を検出することができる前記リソースは、全地球的航法衛星システム受信機、全地球測位衛星システム受信機、加速度計、非データベアラ信号を受信するトランシーバ、基地局識別子、およびアクセスポイント識別子のうちの１つまたは複数を備える、Ｃ６に記載の方法。
［Ｃ８］  マルチモード通信デバイスであって、
複数の無線アクセス技術（ＲＡＴ）をサポートするように構成された無線周波数（ＲＦ）リソースと、
前記ＲＦリソースに結合されたプロセッサと
を備え、前記プロセッサは、
確立された通信リンクの前記ＲＡＴが最も高い優先度のＲＡＴでないことおよび前記マルチモード通信デバイスが静止状態であることを決定することに応答して、前記マルチモード通信デバイスが、前記確立された通信リンクの前記ＲＡＴ以外の１つまたは複数のＲＡＴの信号についてスキャンするのを防ぐこと
を備える動作を実行するためにプロセッサ実行可能な命令で構成される、
マルチモード通信デバイス。
［Ｃ９］  前記プロセッサは、
前記確立された通信リンクの１つまたは複数の変化についてモニタすることと、
前記確立された通信リンクの１つまたは複数の変化を検出することに応答して、前記確立された通信リンクの前記ＲＡＴ以外の前記１つまたは複数のＲＡＴの信号についてスキャンすることと
をさらに備える動作を実行するためにプロセッサ実行可能な命令で構成される、
Ｃ８に記載のマルチモード通信デバイス。
［Ｃ１０］  前記プロセッサは、前記確立された通信リンクの１つまたは複数の変化を検出することが、前記確立された通信リンクの前記１つまたは複数の変化がしきい値を上回ると決定することを備えるように動作を実行するためにプロセッサ実行可能な命令で構成される、Ｃ９に記載のマルチモード通信デバイス。
［Ｃ１１］  前記プロセッサは、前記確立された通信リンクの１つまたは複数の変化を検出することが、前記確立された通信リンクの受信信号強度がしきい値を上回る量だけ増加または減少したかどうかを決定することを備えるように動作を実行するためにプロセッサ実行可能な命令で構成される、Ｃ９に記載のマルチモード通信デバイス。
［Ｃ１２］  前記プロセッサは、
前記マルチモード通信デバイスのロケーションが変化したかどうかを決定することと、  前記マルチモード通信デバイスの前記ロケーションが変化したと決定することに応答して、前記確立された通信リンクの前記ＲＡＴ以外の前記１つまたは複数のＲＡＴの信号についてスキャンすることと
をさらに備える動作を実行するためにプロセッサ実行可能な命令で構成される、
Ｃ８に記載のマルチモード通信デバイス。
［Ｃ１３］  前記プロセッサは、前記マルチモード通信デバイスのロケーションが変化したかどうかを決定することが、
前記マルチモード通信デバイスが移動したことを示す信号について、前記マルチモード通信デバイスのロケーションの変化を示すことができるリソースをモニタすることと、  前記マルチモード通信デバイスの移動がしきい値を上回るかどうかを前記信号から決定することと、
前記マルチモード通信デバイスの前記移動が前記しきい値を上回ると決定することに応答して、前記マルチモード通信デバイスの前記ロケーションが変化したと決定することと  を備えるように動作を実行するためにプロセッサ実行可能な命令で構成される、
Ｃ１２に記載のマルチモード通信デバイス。
［Ｃ１４］  前記プロセッサは、前記マルチモード通信デバイスのロケーションの変化を検出することができる前記リソースが、全地球的航法衛星システム受信機、全地球測位衛星システム受信機、加速度計、非データベアラ信号を受信するトランシーバ、基地局識別子、およびアクセスポイント識別子のうちの１つまたは複数を備えるように動作を実行するためにプロセッサ実行可能な命令で構成される、Ｃ１３に記載のマルチモード通信デバイス。
［Ｃ１５］  無線アクセス技術（ＲＡＴ）の使用を管理するための動作を実行することをマルチモード通信デバイスのプロセッサに行わせるように構成されたプロセッサ実行可能な命令を記憶した非一時的なプロセッサ読取可能な記憶媒体であって、前記動作は、
確立された通信リンクの前記ＲＡＴが最も高い優先度のＲＡＴでないことおよび前記マルチモード通信デバイスが静止状態であることを決定することに応答して、前記マルチモード通信デバイスが、前記確立された通信リンクの前記ＲＡＴ以外の１つまたは複数のＲＡＴの信号についてスキャンするのを防ぐこと
を備える、非一時的なプロセッサ読取可能な記憶媒体。
［Ｃ１６］  前記記憶されたプロセッサ実行可能な命令は、
前記確立された通信リンクの１つまたは複数の変化についてモニタすることと、
前記確立された通信リンクの１つまたは複数の変化を検出することに応答して、前記確立された通信リンクの前記ＲＡＴ以外の前記１つまたは複数のＲＡＴの信号についてスキャンすることと
をさらに備える動作を実行することを前記マルチモード通信デバイスの前記プロセッサに行わせるように構成される、Ｃ１５に記載の非一時的なプロセッサ読取可能な記憶媒体。
［Ｃ１７］  前記記憶されたプロセッサ実行可能な命令は、前記確立された通信リンクの１つまたは複数の変化を検出することが、前記確立された通信リンクの前記１つまたは複数の変化がしきい値を上回ると決定することを備えるように動作を実行することを前記マルチモード通信デバイスの前記プロセッサに行わせるように構成される、Ｃ１６に記載の非一時的なプロセッサ読取可能な記憶媒体。
［Ｃ１８］  前記記憶されたプロセッサ実行可能な命令は、前記確立された通信リンクの１つまたは複数の変化を検出することが、前記確立された通信リンクの受信信号強度がしきい値を上回る量だけ増加または減少したかどうかを決定することを備えるように動作を実行することを前記マルチモード通信デバイスの前記プロセッサに行わせるように構成される、Ｃ１６に記載の非一時的なプロセッサ読取可能な記憶媒体。
［Ｃ１９］  前記記憶されたプロセッサ実行可能な命令は、
前記マルチモード通信デバイスのロケーションが変化したかどうかを決定することと、  前記マルチモード通信デバイスの前記ロケーションが変化したと決定することに応答して、前記確立された通信リンクの前記ＲＡＴ以外の前記１つまたは複数のＲＡＴの信号についてスキャンすることと
をさらに備える動作を実行することを前記マルチモード通信デバイスの前記プロセッサに行わせるように構成される、Ｃ１５に記載の非一時的なプロセッサ読取可能な記憶媒体。
［Ｃ２０］  前記記憶されたプロセッサ実行可能な命令は、前記マルチモード通信デバイスのロケーションが変化したかどうかを決定することが、
前記マルチモード通信デバイスが移動したことを示す信号について、前記マルチモード通信デバイスのロケーションの変化を示すことができるリソースをモニタすることと、  前記マルチモード通信デバイスの移動がしきい値を上回るかどうかを前記信号から決定することと、
前記マルチモード通信デバイスの前記移動が前記しきい値を上回ると決定することに応答して、前記マルチモード通信デバイスの前記ロケーションが変化したと決定することと  を備えるように動作を実行することを前記マルチモード通信デバイスの前記プロセッサに行わせるように構成される、Ｃ１９に記載の非一時的なプロセッサ読取可能な記憶媒体。
［Ｃ２１］  前記記憶されたプロセッサ実行可能な命令は、前記マルチモード通信デバイスのロケーションの変化を検出することができる前記リソースが、全地球的航法衛星システム受信機、全地球測位衛星システム受信機、加速度計、非データベアラ信号を受信するトランシーバ、基地局識別子、およびアクセスポイント識別子のうちの１つまたは複数を備えるように動作を実行することを前記マルチモード通信デバイスの前記プロセッサに行わせるように構成される、Ｃ２０に記載の非一時的なプロセッサ読取可能な記憶媒体。
［Ｃ２２］  マルチモード通信デバイスであって、
確立された通信リンクの前記ＲＡＴが最も高い優先度のＲＡＴでないことおよび前記マルチモード通信デバイスが静止状態であることを決定することに応答して、前記マルチモード通信デバイスが、前記確立された通信リンクの前記ＲＡＴ以外の１つまたは複数のＲＡＴの信号についてスキャンするのを防ぐための手段
を備える、マルチモード通信デバイス。
［Ｃ２３］  前記確立された通信リンクの１つまたは複数の変化についてモニタするための手段と、  前記確立された通信リンクの１つまたは複数の変化を検出することに応答して、前記確立された通信リンクの前記ＲＡＴ以外の前記１つまたは複数のＲＡＴの信号についてスキャンするための手段と
をさらに備える、Ｃ２２に記載のマルチモードコンピューティングデバイス。
［Ｃ２４］  前記確立された通信リンクの１つまたは複数の変化を検出するための手段は、前記確立された通信リンクの前記１つまたは複数の変化がしきい値を上回ると決定するための手段を備える、Ｃ２３に記載のマルチモードコンピューティングデバイス。
［Ｃ２５］  前記確立された通信リンクの１つまたは複数の変化を検出するための手段は、前記確立された通信リンクの受信信号強度がしきい値を上回る量だけ増加または減少したかどうかを決定するための手段をさらに備える、Ｃ２３に記載のマルチモードコンピューティングデバイス。
［Ｃ２６］  前記マルチモード通信デバイスのロケーションが変化したかどうかを決定するための手段と、
前記マルチモード通信デバイスの前記ロケーションが変化したと決定することに応答して、前記確立された通信リンクの前記ＲＡＴ以外の前記１つまたは複数のＲＡＴの信号についてスキャンするための手段と
をさらに備える、Ｃ２２に記載のマルチモードコンピューティングデバイス。
［Ｃ２７］  前記マルチモード通信デバイスのロケーションが変化したかどうかを決定するための手段は、
前記マルチモード通信デバイスが移動したことを示す信号について、前記マルチモード通信デバイスのロケーションの変化を示すことができるリソースをモニタするための手段と、
前記マルチモード通信デバイスの移動がしきい値を上回るかどうかを前記信号から決定するための手段と、
前記マルチモード通信デバイスの前記移動が前記しきい値を上回ると決定することに応答して、前記マルチモード通信デバイスの前記ロケーションが変化したと決定するための手段と
を備える、Ｃ２６に記載のマルチモードコンピューティングデバイス。
［Ｃ２８］  前記マルチモード通信デバイスのロケーションの変化を検出することができる前記リソースは、全地球的航法衛星システム受信機、全地球測位衛星システム受信機、加速度計、非データベアラ信号を受信するトランシーバ、基地局識別子、およびアクセスポイント識別子のうちの１つまたは複数を備える、Ｃ２７に記載のマルチモードコンピューティングデバイス。